(57)【要約】【課題】消費電力を低減できるセンサ回路及びそれを備えるセンサ装置を提供する。【解決手段】センサ回路２０は、増幅部３０と、出力部４１とを備える。増幅部３０は、センサ１０の出力電圧Ｖ１を増幅して基準電圧Ｖ２を加算した電圧Ｖ３を出力する。出力部４１は、増幅部３０の増幅率が第１増幅率であるときの増幅部３０の第１出力電圧と、増幅部３０の増幅率が第２増幅率であるときの増幅部３０の第２出力電圧との差電圧に基づく出力電圧Ｖ４を出力する。【選択図】図１
2018147117.tif 000002
【特許請求の範囲】
【請求項１】
センサの出力電圧を増幅して基準電圧を加算した電圧を出力する増幅部と、
前記増幅部の増幅率が第１増幅率であるときの前記増幅部の第１出力電圧と前記増幅部の増幅率が第２増幅率であるときの前記増幅部の第２出力電圧との差電圧に基づく出力電圧を出力する出力部と、を備える、
センサ回路。
【請求項２】
前記基準電圧の電圧値が、電池の電圧値に応じた値である、
請求項１に記載のセンサ回路。
【請求項３】
前記第１増幅率と前記第２増幅率との一方が、前記増幅部の増幅率の最小値である、
請求項１又は２に記載のセンサ回路。
【請求項４】
前記増幅部の増幅率を設定する設定部と、
前記設定部が前記増幅部の増幅率を前記第１増幅率に設定しているときの前記増幅部の第１出力電圧、及び、前記設定部が前記増幅部の増幅率を前記第２増幅率に設定しているときの前記増幅部の第２出力電圧を記憶する記憶部と、を更に備え、
前記出力部は、前記記憶部に記憶された前記第１出力電圧及び前記第２出力電圧の差電圧に基づく出力電圧を出力する、
請求項１〜３のいずれか１項に記載のセンサ回路。
【請求項５】
請求項１〜４のいずれか１項に記載のセンサ回路と、前記増幅部に出力電圧を出力する前記センサと、を備える、
センサ装置。
【発明の詳細な説明】
【技術分野】
【０００１】
本発明は、センサ回路、及びそれを備えるセンサ装置に関し、特に、センサからの出力電圧を処理するセンサ回路、及びそれを備えるセンサ装置に関する。
【背景技術】
【０００２】
従来、検知対象ガスを検出するガスセンサを備えた電池式警報器があった（例えば特許文献１参照）。特許文献１の電池式警報器は、電池部と、電源回路部と、制御回路部とを備えている。制御回路部はガスセンサのセンサ出力電圧に基づいてガス漏れ検出を行う。制御回路部がガス漏れと判定した場合、警報器はガス漏れを報知する。電源回路部は、電池部から出力される出力電圧を一定電圧に安定化して制御回路部へ供給する。
【先行技術文献】
【特許文献】
【０００３】
【特許文献１】特開２０１３−１７８６４９号公報
【発明の概要】
【発明が解決しようとする課題】
【０００４】
特許文献１の電池式警報器では、電池部の出力電圧を安定化するために電源回路部を備えているので、電源回路部の消費電力によって、電池部の消耗が早くなるという問題があった。
【０００５】
本発明の目的は、消費電力を低減できるセンサ回路及びそれを備えるセンサ装置を提供することにある。
【課題を解決するための手段】
【０００６】
本発明の一態様のセンサ回路は、増幅部と、出力部と、を備える。前記増幅部は、センサの出力電圧を増幅して基準電圧を加算した電圧を出力する。前記出力部は、第１出力電圧と第２出力電圧との差電圧に基づく出力電圧を出力する。前記第１出力電圧は、前記増幅部の増幅率が第１増幅率であるときの前記増幅部の出力電圧である。前記第２出力電圧は、前記増幅部の増幅率が第２増幅率であるときの前記増幅部の出力電圧である。
【０００７】
本発明の一態様のセンサ装置は、前記センサ回路と、前記増幅部に出力電圧を出力する前記センサと、を備える。
【発明の効果】
【０００８】
本発明によれば、消費電力を低減可能なセンサ回路及びそれを備えるセンサ装置を提供することができる。
【図面の簡単な説明】
【０００９】
【図１】図１は、本発明の一実施形態に係るセンサ装置のブロック図である。
【図２】図２は、同上のセンサ装置の検知動作を説明するシーケンス図である。
【図３】図３は、同上のセンサ装置において、電池電圧が高い状態と低い状態とのそれぞれで、第１出力電圧と第２出力電圧との関係を示す説明図である。
【図４】図４は、本発明の一実施形態の変形例１に係るセンサ装置のブロック図である。
【発明を実施するための形態】
【００１０】
以下に説明する実施形態は、本発明の種々の実施形態の一つに過ぎない。本発明の実施形態は、下記実施形態に限定されることはなく、この実施形態以外も含み得る。また、下記の実施形態は、本発明に係る技術的思想を逸脱しない範囲であれば、設計等に応じて種々の変更が可能である。
【００１１】
（１）構成
本実施形態のセンサ装置１は、センサ１０と、センサ回路２０とを備える。本実施形態のセンサ装置１は、例えば、検出対象ガス（例えば一酸化炭素ガス）のガス濃度が所定の判定濃度を超えると警報を発するようなガス感知器に用いられる。本実施形態のセンサ装置１の電源は電池２であり、電池２から供給される電力で動作する。
【００１２】
センサ１０は、例えば、検出対象ガス（本実施形態では一酸化炭素ガス）のガス濃度に応じた電圧値の出力電圧Ｖ１を発生するガスセンサである。本実施形態のセンサ１０は電気化学式のガスセンサであるが、金属酸化物半導体を用いた半導体式のガスセンサでもよいし、接触燃焼式のガスセンサでもよい。
【００１３】
センサ回路２０は、増幅部３０と、制御回路部４０と、分圧回路５０と、駆動回路６０とを備えている。
【００１４】
駆動回路６０は、電池２から供給される電力でセンサ１０を駆動する。駆動回路６０は、制御回路部４０から入力される制御信号に応じて、センサ１０に電力を供給して、センサ１０を駆動する。
【００１５】
分圧回路５０は、電池２から入力される電圧を所定の分圧比で分圧することによって、電池２の電圧に比例した基準電圧Ｖ２を出力する。
【００１６】
増幅部３０は、電流電圧変換アンプＡ１と、抵抗器Ｒ１〜Ｒ３と、スイッチ素子Ｓ１とを備える。電流電圧変換アンプＡ１の非反転入力端子には分圧回路５０から基準電圧Ｖ２が入力されており、非反転入力端子の電位が基準電圧Ｖ２にバイアスされる。電流電圧変換アンプＡ１の反転入力端子は、抵抗器Ｒ１を介してセンサ１０の出力端子に接続されている。電流電圧変換アンプＡ１の反転入力端子と出力端子との間には抵抗器Ｒ２が接続されている。抵抗器Ｒ２と並列に、抵抗器Ｒ３とスイッチ素子Ｓ１との直列回路が接続されている。スイッチＳ１は制御回路部４０からの切替信号に応じてオン又はオフになる。スイッチＳ１がオフになると、電流電圧変換アンプＡ１の反転入力端子と出力端子との間には抵抗器Ｒ２のみが接続された状態になり、増幅部３０の増幅率は第１増幅率Ｇ１に設定される。スイッチＳ１がオンになると、電流電圧変換アンプＡ１の反転入力端子と出力端子との間に抵抗器Ｒ２，Ｒ３の並列回路が接続された状態になり、増幅部３０の増幅率が、第１増幅率Ｇ１よりも低い第２増幅率Ｇ２に設定される。
【００１７】
増幅部３０は、センサ１０の出力電圧Ｖ１を第１増幅率Ｇ１又は第２増幅率Ｇ２で増幅した電圧に、基準電圧Ｖ２を加算した電圧を、出力電圧Ｖ３として出力する。
【００１８】
ここで、第１増幅率Ｇ１は第２増幅率Ｇ２よりも高い値に設定されている。また、第２増幅率Ｇ２が増幅部３０の増幅率の最小値になるように、抵抗器Ｒ１〜Ｒ３の抵抗値などが設定されている。ここにおいて、増幅部３０の増幅率が第１増幅率Ｇ１であるときの増幅部３０の出力電圧と、増幅部３０の増幅率が第２増幅率Ｇ２であるときの増幅部３０の出力電圧との差電圧を大きくするためには、第１増幅率Ｇ１と第２増幅率Ｇ２との差が大きい方が好ましい。本実施形態では第１増幅率Ｇ１が３５０００倍、第２増幅率Ｇ２が２７００倍である。また、第２増幅率Ｇ２は、電流電圧変換アンプＡ１の最小の増幅率であることが好ましい。第１増幅率Ｇ１を高めに設定すると、電流電圧変換アンプＡ１の出力電圧が飽和する可能性があるため、第１増幅率Ｇ１の設定値には上限がある。そのため、第２増幅率Ｇ２を、電流電圧変換アンプＡ１の最小の増幅率とすることで、第１増幅率Ｇ１と第２増幅率Ｇ２との差をできるだけ大きくすることができる。なお、第１増幅率Ｇ１、第２増幅率Ｇ２の設定値は一例であり、回路の仕様などに応じて適宜変更が可能である。
【００１９】
制御回路部４０は、ＣＰＵ（Central Processing Unit）と記憶部４３とを有するマイクロコンピュータを備えている。ＣＰＵが記憶部４３に格納されているプログラムを実行することによって、制御回路部４０の機能が実現される。本実施形態では制御回路部４０は出力部４１と設定部４２の機能を備えている。また、制御回路部４０は、駆動回路６０に制御信号を出力することによって、駆動回路６０の動作を制御して、センサ１０を駆動する機能も備えている。ここにおいて、ＣＰＵが実行するプログラムは、マイクロコンピュータの記憶部４３に予め記録されているが、インターネットなどの電気通信回線を通じて、又はメモリカードなどの記録媒体に記録されて提供されてもよい。
【００２０】
設定部４２は、スイッチ素子Ｓ１をオン又はオフにすることで、増幅部３０の増幅率を第１増幅率Ｇ１又は第２増幅率Ｇ２に設定する。
【００２１】
記憶部４３は、例えばＥＥＰＲＯＭ（electrically erasable and programmable read-only memory）、フラッシュメモリなどの電気的に書き換え可能な不揮発性メモリを備える。記憶部４３はＣＰＵが実行するプログラムなどを記憶する。また、制御回路部４０は、設定部４２によって増幅率が第１増幅率Ｇ１に設定されたときの増幅部３０の第１出力電圧Ｖ３１と、設定部４２によって増幅率が第２増幅率Ｇ２に設定されたときの増幅部３０の第２出力電圧Ｖ３２とを、記憶部４３に記憶させる。
【００２２】
出力部４１は、記憶部４３に記憶された第１出力電圧Ｖ３１と第２出力電圧Ｖ３２との差電圧に基づく出力電圧Ｖ４を出力する。本実施形態の出力部４１は、第１出力電圧Ｖ３１と第２出力電圧Ｖ３２との差電圧を出力電圧Ｖ４として出力する。
【００２３】
（２）動作
本実施形態のセンサ回路１０及びセンサ装置１の動作について図２及び図３を参照して説明する。
【００２４】
本実施形態のセンサ回路１０は電池２を電源としているので、制御回路部４０は、電力消費を抑制するために、所定の周期（例えば６０秒）が経過するごとにセンサ１０の測定値を求めている。
【００２５】
制御回路部４０は、所定の周期ごとに、駆動回路６０を制御してセンサ１０を所定時間（例えば４秒間）動作させる。
【００２６】
図２は、駆動回路６０がセンサ１０を駆動している間の増幅部３０の増幅率と増幅部３０の出力電圧Ｖ３とを示すタイムチャートである。
【００２７】
時間ｔ１において駆動回路６０がセンサ１０への電力供給を開始すると、センサ１０の出力端子に出力電圧Ｖ１が発生する。増幅部３０は、センサ１０の出力電圧Ｖ１を増幅し、基準電圧Ｖ２を加算した出力電圧Ｖ３を出力する。制御回路部４０の設定部４２は、センサ１０に電力供給を開始した時点ではスイッチ素子Ｓ１をオフにして、増幅部３０の増幅率を第１増幅率Ｇ１に設定する。そして、制御回路部４０は、センサ１０の出力電圧Ｖ１が安定した状態で増幅部３０の出力電圧Ｖ３を取り込む。センサ１０に電力が供給されてから、センサ１０の出力電圧Ｖ１が安定するまでには２秒程度の時間が必要である。したがって、制御回路部４０は、センサ１０に電力供給を開始した時点から回路の起動に必要な初期の待機時間（例えば数十ｍ秒）が経過した時点（時間ｔ２）で、所定の第１待機時間Ｔ１（例えば３秒）のカウントを開始する。制御回路部４０は、時間ｔ２から第１待機時間Ｔ１が経過した時点（時間ｔ３）において、増幅部３０から入力される出力電圧Ｖ３を第１出力電圧Ｖ３１として記憶部４３に記憶させる。ここで、第１待機時間Ｔ１の長さは、センサ１０の出力電圧Ｖ１が安定するまでに必要な時間よりも長めに設定されていればよく、適宜変更が可能である。
【００２８】
制御回路部４０の設定部４２は、第１出力電圧Ｖ３１を記憶部４３に記憶させた後の時間ｔ４において、スイッチ素子Ｓ１をオンにして、増幅部３０の増幅率を第２増幅率Ｇ２に設定する。制御回路部４０は、増幅部３０の増幅率を第２増幅率Ｇ２に設定した時点（時間ｔ４）から所定の第２待機時間Ｔ２（例えば０．１秒）が経過した時点（時間ｔ５）において、増幅部３０から入力される出力電圧Ｖ３を第２出力電圧Ｖ３２として記憶部４３に記憶させる。ここで、第２待機時間Ｔ２の長さは、増幅率３０を変化させたときに電流電圧変換アンプＡ１の出力電圧Ｖ３が安定するまでに必要な時間よりも長めに設定されていればよく、適宜変更が可能である。なお、設定部４２が増幅部３０の増幅率を第２増幅率Ｇ２に設定したときには、センサ１０の出力電圧Ｖ１は安定しているので、第２待機時間Ｔ２は第１待機時間Ｔ１に比べて短い時間でよい。
【００２９】
制御回路部４０は、増幅部３０の増幅率が第１増幅率Ｇ１であるときの第１出力電圧Ｖ３１と、増幅率が第２増幅率Ｇ２であるときの第２出力電圧Ｖ３２とを取得すると、第１出力電圧Ｖ３１と第２出力電圧Ｖ３２との差電圧に基づく出力電圧Ｖ４を出力する。つまり、制御回路部４０の出力部４１は、記憶部４３から第１出力電圧Ｖ３１と第２出力電圧Ｖ３２とを読み出し、第１出力電圧Ｖ３１と第２出力電圧Ｖ３２との差電圧に基づく出力電圧Ｖ４を出力する。本実施形態では、出力部４１は、第１出力電圧Ｖ３１と第２出力電圧Ｖ３２との差電圧を出力電圧Ｖ４として出力する。
【００３０】
制御回路部４０は、増幅部３０から第２出力電圧Ｖ３２を取り込んだ後の時間ｔ６において駆動回路６０を制御して、センサ１０への電力供給を停止する。
【００３１】
また、制御回路部４０は、所定の周期が経過すると、駆動回路６０を制御してセンサ１０への電力供給を開始し、増幅部３０から第１出力電圧Ｖ３３及び第２出力電圧Ｖ３４を取り込む。そして、制御回路部４０は、第１出力電圧Ｖ３３及び第２出力電圧Ｖ３４の差電圧に基づく出力電圧Ｖ４を出力する。
【００３２】
本実施形態のセンサ装置１はガス感知器に用いられている。ガス感知器では、出力部４１から出力される出力電圧Ｖ４と、所定の閾値電圧との高低を比較しており、出力電圧Ｖ４が閾値電圧を超えると、つまり一酸化炭素のガス濃度が所定の判定濃度を超えると警報を発する。
【００３３】
ここで、基準電圧Ｖ２の電圧値は電池２の電圧に比例しているので、電池２の放電に伴って電池２の電圧が低下すると、基準電圧Ｖ２も低下する。図３は、電池２の電圧が高い状態と低い状態とのそれぞれで、増幅部３０から出力される第１出力電圧Ｖ３１と第２出力電圧Ｖ３２とを示している。なお、図３の例では、電池２の電圧が高い状態と、電池２の電圧が低い状態とで、センサ１０の出力電圧Ｖ１は変化していないものとする。
【００３４】
上述のように、電池２の電圧が低下すると基準電圧Ｖ２が低下する。増幅部３０は、センサ１０の出力電圧Ｖ１を増幅し、基準電圧Ｖ２を加算した出力電圧Ｖ３を出力するので、センサ１０の出力電圧Ｖ１に変化がない場合、電池２の電圧が低い状態では、電池２の電圧が高い状態に比べて、増幅部３０の出力電圧Ｖ３が低下する。
【００３５】
電池２の電圧が高い状態において、制御回路部４０の出力部４１は、増幅部３０の増幅率が第１増幅率Ｇ１のときの第１出力電圧Ｖ３１と、増幅部３０の増幅率が第２増幅率のときの第２出力電圧Ｖ３２との差電圧を出力電圧Ｖ４Ａとして出力する。ここで、第１出力電圧Ｖ３１は、センサ１０の出力電圧Ｖ１を第１増幅率Ｇ１で増幅した電圧に基準電圧Ｖ２を加算した電圧となり、第２出力電圧Ｖ３２は、センサ１０の出力電圧Ｖ１を第２増幅率Ｇ２で増幅した電圧に基準電圧Ｖ２を加算した電圧となる。したがって、第１出力電圧Ｖ３１と第２出力電圧Ｖ３２との差電圧である出力電圧Ｖ４Ａは、センサ１０の出力電圧Ｖ１に、第１増幅率Ｇ１と第２増幅率Ｇ２との差分（Ｇ１−Ｇ２）を乗算した値となり、基準電圧Ｖ２に依存しない値となる。
【００３６】
また、電池２の電圧が低い状態において、制御回路部４０の出力部４１は、増幅部３０の増幅率が第１増幅率Ｇ１のときの第１出力電圧Ｖ３１と、増幅部３０の増幅率が第２増幅率Ｇ２のときの第２出力電圧Ｖ３２との差電圧を出力電圧Ｖ４Ｂとして出力する。そして、第１出力電圧Ｖ３１と第２出力電圧Ｖ３２との差電圧である出力電圧Ｖ４Ｂは、上述と同様に、センサ１０の出力電圧Ｖ１に、第１増幅率Ｇ１と第２増幅率Ｇ２との差分（Ｇ１−Ｇ２）を乗算した値となり、基準電圧Ｖ２に依存しない値となる。
【００３７】
そして、電池２の電圧が高い状態と低い状態とでセンサ１０の出力電圧Ｖ１が同じ値であれば、電池２の電圧が高い状態での出力電圧Ｖ４Ａと、電池２の電圧が低い状態での出力電圧Ｖ４Ｂとは同じ値となる。よって、制御回路部４０の出力部４１からの出力電圧Ｖ４は、電池２の電圧が変化した場合でも変化しにくくなり、検出対象ガスのガス濃度を正確に測定することができる。
【００３８】
また、本実施形態のセンサ回路２０は、電池２の電圧から一定の基準電圧Ｖ２を生成する定電圧回路などの電源回路を備えていないので、電源回路の消費電力を低減でき、センサ回路２０及びそれを備えるセンサ装置１の消費電力を低減できる。
【００３９】
本実施形態のセンサ回路２０及びセンサ装置１では、設定部４２が増幅部３０の増幅率を第１増幅率Ｇ１に設定した状態で、制御回路部４０が増幅部３０から第１出力電圧Ｖ３１を取り込んでいる。また、設定部４２が増幅部３０の増幅率を第２増幅率Ｇ２に設定した状態で、制御回路部４０が増幅部３０から第２出力電圧Ｖ３２を取り込んでいる。したがって、センサ回路２０及びセンサ装置１は、１つの電流電圧変換アンプＡ１を備えるだけでよく、増幅部３０の回路構成を簡単にできる。
【００４０】
（３）変形例
以下に、上記実施形態の変形例に係るセンサ回路及びセンサ装置を列記する。なお、以下に説明する変形例の各構成は、上記実施形態で説明した各構成と適宜組み合わせて適用可能である。
【００４１】
（３．１）変形例１
上記実施形態のセンサ回路２０及びセンサ装置１では、設定部４２が増幅部３０の増幅率を第１増幅率Ｇ１と第２増幅率Ｇ２とに設定しているが、変形例１では、図４に示すように、センサ回路２０の増幅部３０Ａが増幅率が異なる２つの増幅回路を備えている。以下、上記実施形態のセンサ回路２０及びセンサ装置１と同様の構成については、共通の符号を付して適宜説明を省略する。
【００４２】
変形例１のセンサ回路２０では、増幅部３０Ａが、増幅率が第１増幅率Ｇ１に設定された第１増幅回路３１と、増幅率が第２増幅率Ｇ２に設定された第２増幅回路３２とを備えている。
【００４３】
第１増幅回路３１は、電流電圧変換アンプＡ２と抵抗器Ｒ４，Ｒ５とを備えた反転増幅回路である。電流電圧変換アンプＡ２の非反転入力端子に分圧回路５０から基準電圧Ｖ２が入力されており、非反転入力端子の電位が基準電圧Ｖ２にバイアスされている。電流電圧変換アンプＡ２の反転入力端子は、抵抗器Ｒ４を介してセンサ１０の出力端子に接続されている。電流電圧変換アンプＡ２の反転入力端子と出力端子との間には抵抗器Ｒ５が接続されている。ここで、第１増幅回路３１の増幅率が第１増幅率Ｇ１となるように抵抗器Ｒ４，Ｒ５の抵抗値などが設定されている。第１増幅回路３１は、センサ１０の出力電圧Ｖ１を第１増幅率Ｇ１で増幅し、基準電圧Ｖ２を加算した電圧（第１出力電圧）Ｖ３３を制御回路部４０に出力する。
【００４４】
第２増幅回路３２は、電流電圧変換アンプＡ３と抵抗器Ｒ６，Ｒ７とを備えた反転増幅回路である。第２増幅回路３２は、第１増幅回路３１と同様の回路構成を有しているので、その説明は省略する。第２増幅回路３２の増幅率が第２増幅率Ｇ２となるように抵抗器Ｒ６，Ｒ７の抵抗値などが設定されている。第２増幅回路３２は、センサ１０の出力電圧Ｖ１を第２増幅率Ｇ２で増幅し、基準電圧Ｖ２を加算した電圧（第２出力電圧）Ｖ３４を制御回路部４０に出力する。
【００４５】
制御回路部４０は、所定の周期ごとに、駆動回路６０を制御してセンサ１０を所定時間（例えば４秒間）動作させる。制御回路部４０は、センサ１０に電力が供給されてから所定の待機時間（例えば３秒）が経過した時点で、第１増幅回路３１及び第２増幅回路３２から第１出力電圧Ｖ３３、第２出力電圧Ｖ３４を取り込む。そして、制御回路部４０の出力部４１は、第１出力電圧Ｖ３３と第２出力電圧Ｖ３４との差電圧を出力電圧Ｖ４として出力する。制御回路部４０は、所定時間が経過すると駆動回路６０を制御してセンサ１０への電力供給を停止させる。
【００４６】
また、制御回路部４０は、所定の周期が経過すると、駆動回路６０を制御してセンサ１０への電力供給を開始し、増幅部３０Ａから第１出力電圧Ｖ３３及び第２出力電圧Ｖ３４を取り込む。そして、制御回路部４０は、第１出力電圧Ｖ３３及び第２出力電圧Ｖ３４の差電圧を出力電圧Ｖ４を出力する。
【００４７】
ここで、出力部４１は、第１出力電圧Ｖ３３と第２出力電圧Ｖ３４との差電圧に所定の係数を乗算した電圧を出力電圧Ｖ４として出力してもよい。
【００４８】
（３．２）その他の変形例
上記実施形態及び変形例１のセンサ回路２０及びセンサ装置１において、センサ１０は一酸化炭素を検出するガスセンサであったが、一酸化炭素以外のガス（例えば可燃性ガスなど）を検出するガスセンサでもよい。また、センサ１０はガスセンサに限定されず、煙又は温度で火災の有無を検知するセンサでもよい。また、センサ１０は、温度、湿度、明るさなどを検出すためのセンサでもよい。
【００４９】
上記実施形態のセンサ回路２０において、制御回路部４０は、所定の周期ごとに、増幅部３０の増幅率を第２増幅率Ｇ２とした状態で第２出力電圧Ｖ３２を取り込んだ後、増幅率を第１増幅率Ｇ１とした状態で第１出力電圧Ｖ３１を取り込んでもよい。
【００５０】
また、上記実施形態のセンサ回路２０において、設定部４２は、増幅部３０の増幅率を２通りに設定しているが、増幅率を３通り以上の複数通りに設定してもよい。この場合、出力部４３は、増幅部３０の増幅率が設定部４２によって複数通りの増幅率の各々に設定された状態で、増幅部３０から出力電圧Ｖ３を取り込む。そして、出力部４３は、複数通りの増幅率での複数の出力電圧Ｖ３のうち任意の２つの出力電圧Ｖ３の差電圧に基づく出力電圧Ｖ４を出力すればよい。
【００５１】
上記実施形態のセンサ回路２０及びセンサ装置１は、検出対象ガスのガス濃度が所定の判定濃度を超えると警報を発するガス感知器に用いられているが、検出対象ガスのガス濃度を測定する測定装置に用いられてもよい。
【００５２】
（４）まとめ
以上説明したように、第１の態様のセンサ回路２０は、増幅部３０（３０Ａ）と、出力部４１とを備える。増幅部３０（３０Ａ）は、センサ１０の出力電圧Ｖ１を増幅して基準電圧Ｖ２を加算した電圧Ｖ３を出力する。出力部４１は、第１出力電圧Ｖ３１（Ｖ３３）と第２出力電圧Ｖ３２（Ｖ３４）との差電圧に基づく出力電圧Ｖ４を出力する。第１出力電圧Ｖ３１（Ｖ３３）は、増幅部３０（３０Ａ）の増幅率が第１増幅率Ｇ１であるときの増幅部３０（３０Ａ）の出力電圧である。第２出力電圧Ｖ３２（Ｖ３４）は、増幅部３０（３０Ａ）の増幅率が第２増幅率Ｇ２であるときの増幅部３０（３０Ａ）の出力電圧である。
【００５３】
第１の態様のセンサ回路２０によれば、出力部４１は、第１出力電圧Ｖ３１（Ｖ３３）と第２出力電圧Ｖ３２（Ｖ３４）との差電圧に基づく出力電圧Ｖ４を出力するので、基準電圧Ｖ２が変化しても出力電圧Ｖ４が変化しにくくなる。したがって、基準電圧Ｖ２の変化に伴う出力電圧Ｖ４の変化を抑制するために、基準電圧Ｖ２を一定にするための定電圧回路を備える必要がなく、定電圧回路による消費電力をなくすことができるので、消費電力を低減できるセンサ回路２０を実現できる。
【００５４】
第２の態様のセンサ回路２０では、第１の態様において、基準電圧Ｖ２の電圧値が、電池２の電圧値に応じた値である。
【００５５】
第２の態様のセンサ回路２０によれば、電池２の電圧値が変化することによって、基準電圧Ｖ２が変化しても出力電圧Ｖ４が変化しにくくなる。
【００５６】
第３の態様のセンサ回路２０では、第１又は第２の態様において、第１増幅率Ｇ１と第２増幅率Ｇ２との一方が、増幅部３０（３０Ａ）の増幅率の最小値である。
【００５７】
第３の態様のセンサ回路２０によれば、第１増幅率Ｇ１と第２増幅率Ｇ２との差を大きくとることができ、出力電圧Ｖ４の誤差を低減できる。
【００５８】
第４の態様のセンサ回路２０は、第１〜第３のいずれかの態様において、設定部４２と、記憶部４３とを更に備える。設定部４２は増幅部３０（３０Ａ）の増幅率を設定する。記憶部４３は、設定部４２が増幅部３０（３０Ａ）の増幅率を第１増幅率Ｇ１に設定しているときの増幅部３０（３０Ａ）の第１出力電圧Ｖ３１、及び、設定部４２が増幅部３０（３０Ａ）の増幅率を第２増幅率Ｇ２に設定しているときの増幅部３０（３０Ａ）の第２出力電圧Ｖ３２を記憶する。出力部４１は、記憶部４３に記憶された第１出力電圧Ｖ３１及び第２出力電圧Ｖ３２の差電圧に基づく出力電圧Ｖ４を出力する。
【００５９】
第４の態様のセンサ回路２０によれば、設定部４２が増幅部３０（３０Ａ）の増幅率を第１増幅率Ｇ１と第２増幅率Ｇ２とに設定しているので、増幅率が異なる２つの増幅回路を備える必要がなく、回路構成を簡単にできる。
【００６０】
第５の態様のセンサ装置１は、第１〜第４のいずれかの態様のセンサ回路２０と、増幅部３０（３０Ａ）に出力電圧Ｖ１を出力するセンサ１０と、を備える。
【００６１】
第５の態様のセンサ装置１によれば、消費電力を低減できるセンサ装置１を実現できる。
【符号の説明】
【００６２】
１  センサ装置
２  電池
１０  センサ
２０  センサ回路
３０，３０Ａ  増幅部
４０  制御回路部
４１  出力部
４２  設定部
４３  記憶部
Ｇ１  第１増幅率
Ｇ２  第２増幅率
Ｖ１  センサの出力電圧
Ｖ２  基準電圧
Ｖ３  増幅部の出力電圧
Ｖ３１，Ｖ３３  第１出力電圧
Ｖ３２，Ｖ３４  第２出力電圧
Ｖ４  出力部の出力電圧
【図１】
2018147117.tif 000003
【図２】
2018147117.tif 000004
【図３】
2018147117.tif 000005
【図４】
2018147117.tif 000006